(57)【特許請求の範囲】
【請求項１】
記録媒体と、
互いに異なる方向から入射する光を受光する第１受光部及び第２受光部と、
前記第１受光部により結像された第１画像を取得する第１画像取得手段と、
前記第２受光部により結像された第２画像を取得する第２画像取得手段と、
取得された前記第１画像と第２画像とを１の方向から同時に視認可能なようにリアルタイムに表示する表示手段と、
４つの操作領域が割当てられた４方向キーと、
前記４つの操作領域のうち、一の操作領域を操作すると前記第１画像を選択し、別の操作領域を操作すると前記第２画像を選択するものであって、前記一の操作領域及び前記別の操作領域の相対的位置関係と、前記第１画像の表示位置及び前記第２画像の表示位置の相対的位置関係とを略同一にする選択手段と、
前記選択がなされた画像を前記記録媒体に格納する格納手段とを備えることを特徴とする移動端末。
【請求項２】
前記選択手段は、さらに、前記方向キーに割り当てられた４つの操作領域にうち、互いの相対的位置が、前記第１画像の表示位置及び前記第２画像の表示位置の相対的位置関係と略同一とならない第３の操作領域及び第４操作領域において、前記第３の操作領域が操作された場合、前記第１画像及び前記第２画像を同時に選択することを特徴とする請求項１に記載の移動端末。
【請求項３】
第１受光部に入射する光の方向と第２受光部に入射する光の方向とがほぼ正反対であることを特徴とする請求項２記載の移動端末。
【請求項４】
前記格納手段は、第１画像及び第２画像の両画像について前記選択がなされた場合、当該第１画像中に当該第２画像を電子透かしにより埋め込んで記録することを特徴とする請求項３記載の移動端末。
【請求項５】
前記表示手段は、第１画像のみ、第２画像のみ及び第１画像と第２画像の両画像のいずれが選択されているかを操作者に認識させるための認識画像を当該選択がなされている画像に付して表示することを特徴とする請求項２記載の移動端末。
【請求項６】
前記認識画像は、前記選択がなされた画像の周囲を囲む枠であることを特徴とする請求項５記載の移動端末。
【請求項７】
前記移動端末は、さらに、
前記表示手段において、所定の時間以上前記認識画像が付されないまま第１画像が表示されている場合、第１画像取得手段への電力供給を停止し、所定の時間以上前記認識画像が付されないまま第２画像が表示されている場合、第２画像生成手段への電力供給を停止する節電手段を備え、
前記第１画像取得手段及び前記第２画像生成手段は、電力供給がなされている場合に限り、それぞれ第１画像及び第２画像を生成し、
前記表示手段は、第１画像取得手段と第２画像生成手段とにおいて、生成される画像があるときに限りその画像を表示することを特徴とする請求項６記載の移動端末。
【請求項８】
前記表示手段は、画像を表示するための領域であり、決められた位置に存在する第１表示エリア及び第２表示エリアを有し、第１画像を第１表示エリアに表示し、第２画像を第２表示エリアに表示することを特徴とする請求項６記載の移動端末。
【請求項９】
前記第２表示エリアは、第１表示エリアに含まれていることを特徴とする請求項８記載の移動端末。
【請求項１０】
前記第１表示エリア及び第２表示エリアは、位置的に重ならない場所に存在することを特徴とする請求項８記載の移動端末。
【請求項１１】
前記第１表示エリア及び第２表示エリアは、それぞれ独立した表示部からなり、
前記節電手段は、前記画像が表示されていない表示部への電力供給を停止することを特徴とする請求項１０記載の移動端末。
【請求項１２】
４つの操作領域が割当てられた４方向キーと記録媒体と互いに異なる方向から入射する光を受光する第１受光部及び第２受光部とを備える移動端末において、画像を記録する画像記録方法であって、
前記第１受光部により結像された第１画像を取得する第１画像取得ステップと、
前記第２受光部により結像された第２画像を取得する第２画像取得ステップと、
取得された前記第１画像と第２画像とを１の方向から同時に視認可能なようにリアルタイムに表示する表示ステップと、
前記４つの操作領域のうち、一の操作領域を操作すると前記第１画像を選択し、別の操作領域を操作すると前記第２画像を選択するものであって、前記一の操作領域及び前記別の操作領域の相対的位置関係と、前記第１画像の表示位置及び前記第２画像の表示位置の相対的位置関係とを略同一にする選択ステップと、
前記選択がなされた画像を前記記録媒体に格納する格納ステップとを
を含むことを特徴とする画像記録方法。
【発明の詳細な説明】
【０００１】
【発明の属する技術分野】
本発明は、撮影機能を有する移動端末に関する。
【０００２】
【従来の技術】
近年、ＣＣＤ又はＣＭＯＳセンサなどの受光素子を備え、撮影機能を有する携帯電話及びＰＤＡ（Personal Digital Assistance）などの移動端末が普及しつつある。
この移動端末は、人物及び風景などの被写体の画像をＣＣＤ(charged coupled device)などの受光素子により画像を撮像し、撮像した画像をユーザ操作により撮影し、撮影した画像を無線により送信する。
【０００３】
ディスプレイ上などに画像を表示する場合、これら画像のデータは、メモリ内に一時的に格納されることとなるが、上述の撮影とは、このような一時的なメモリへの格納ではなく、画像のデータを長期に保存するために、このデータを記録媒体に格納することを言う。
また、ＣＣＤなどの受光素子上において画像を形成することを撮像と呼ぶこととする。
【０００４】
図９は、従来の移動端末９００の外形図である。
移動端末９００は、画像を表示する表示部９０１と、ＣＣＤなどからなり、移動端末９００の正面に配置される受光部９０２及び移動端末９００の背面に配置される受光部９０３と、これら受光部で撮像した画像を撮影する指示などを受け付けるための操作キー部９０４と、電話番号入力及び文字入力用のテンキー部９０５とを有する。
【０００５】
移動端末９００は、受光部９０２及び受光部９０３のいずれか一方により撮像された画像をリアルタイムに表示し、操作キー部９０４への撮影指示入力により表示されている上述の画像を撮影する。
操作キー部９０４への送信指示入力により移動端末９００は、撮影された上述の画像を目的の相手に送信する。
【０００６】
つまり、撮影機能付き移動端末は、一般の移動端末にデジタルカメラなどの撮影機能を融合させたものとなっており、手軽に視覚的情報を送信することができ、便利である。
ここで、現在、受光部９０２が起動中であるとすれば、この受光部９０２により受光される光の入射方向の反対方向に撮影の対象となる新たな被写体が現れたとき、ユーザは、操作キー部９０４を用いて受光部への電力供給の切替え指示を入力し、目的とする被写体に近い方向に向けられている受光部９０３を起動させると共に、受光部９０２を停止させ、受光部９０３において撮像された画像を撮影することとなる。
【０００７】
つまり、撮影する際、受光部９０２及び受光部９０３のいずれか一方にのみ電力が供給され、その受光部のみが機能する。
図１０に示すように、従来の移動端末１０００において、１つの受光部１００１が、中央のヒンジ部において回転するように設けられているものもあるが、ユーザが移動端末１０００を用い、例えば、図１１に示すように、自転車に乗りつつ片手で移動端末１０００を操作し、前方の景色を撮った後に、ユーザの後方で自転車に乗り追従する友人の姿を撮影しようとした場合、受光部１００１を前方向から後方向へと回転させ、表示部１００２に表示された友人の姿のリアルタイム画像を確認しつつ狙いを定め、ユーザが気に入る画像が表示されたとき、操作キー部１００３を用いて撮影指示操作を行ってこの画像を撮影することとなる。
【０００８】
受光部１００１を回転させる際、ユーザは、両手を使わなくてはならず、そのために自転車を一旦停止する必要があり、その間、友人は、ユーザの横を通り過ぎ、写そうとした行為が無駄になりかねない。
この移動端末９００において、受光部が２つ設けられているのは、このような状況下において、撮影時における操作性を向上させるためである。
【０００９】
つまり、被写体の方向が極端に変わる場合であっても、それぞれ異なる方向に向けられた２つの受光部を有する移動端末９００は、片手のみで操作により撮影することができ、操作性が良い。
【００１０】
【発明が解決しようとする課題】
しかしながら、いつ、どのようなシャッターチャンスが到来するのかが予測できない状況にあっては、現在、起動されていない受光部の入射方向にユーザが撮影したい被写体が現れたとき、受光部への電力供給の切替えを実施し、表示部８０１に画像を表示させてから撮影したのでは間にあわない可能性がある。
【００１１】
そこで本発明は、上記問題点に鑑みてなされたものであり、被写体が不意に現れたとしても、目的とする被写体の撮影の機会を逃し難い移動端末及び画像記録方法を提供することを目的とする。
【００１２】
【発明が解決しようとする課題】
【００１３】
【課題を解決するための手段】
上記の目的を達成するために、本発明に係る移動端末は、記録媒体と、互いに異なる方向から入射する光を受光する第１受光部及び第２受光部と、前記第１受光部により結像された第１画像を取得する第１画像取得手段と、前記第２受光部により結像された第２画像を取得する第２画像取得手段と、取得された前記第１画像と第２画像とを１の方向から同時に視認可能なようにリアルタイムに表示する表示手段と、４つの操作領域が割当てられた４方向キーと、前記４つの操作領域のうち、一の操作領域を操作すると前記第１画像を選択し、別の操作領域を操作すると前記第２画像を選択するものであって、前記一の操作領域及び前記別の操作領域の相対的位置関係と、前記第１画像の表示位置及び前記第２画像の表示位置の相対的位置関係とを略同一にする選択手段と、前記選択がなされた画像を前記記録媒体に格納する格納手段とを備えることを特徴とし、また、本発明に係る画像記録方法は、４つの操作領域が割当てられた４方向キーと記録媒体と互いに異なる方向から入射する光を受光する第１受光部及び第２受光部とを備える移動端末において、画像を記録する画像記録方法であって、前記第１受光部により結像された第１画像を取得する第１画像取得ステップと、前記第２受光部により結像された第２画像を取得する第２画像取得ステップと、取得された前記第１画像と第２画像とを１の方向から同時に視認可能なようにリアルタイムに表示する表示ステップと、前記４つの操作領域のうち、一の操作領域を操作すると前記第１画像を選択し、別の操作領域を操作すると前記第２画像を選択するものであって、前記一の操作領域及び前記別の操作領域の相対的位置関係と、前記第１画像の表示位置及び前記第２画像の表示位置の相対的位置関係とを略同一にする選択ステップと、前記選択がなされた画像を前記記録媒体に格納する格納ステップとを含むことを特徴とする。
【００１４】
【発明の実施の形態】
＜構成＞
図１は、本発明の実施の形態における移動端末１００の外観図である。
移動端末１００は、携帯電話機であって、音声、画像及び電子メール（以下、「Ｅメール」という。）等のデータを無線で通信し、さらに、画像を撮影する装置である。
【００１５】
図２は、本発明の実施の形態における移動端末１００の機能ブロック図である。
移動端末１００は、第１受光部１０１と、第２受光部１０２と、第１画像処理部１０３と、第２画像処理部１０４と、制御部１０５と、第１表示部１０６と、第２表示部１０７と、記憶部１０８と、テンキー部１０９と、操作キー部１１０と、送受信部１１１と、タイマ部１１２と、電力供給部１１３と、音声入力部１１４と、音声出力部１１５と、電子透かし処理部１１６とを有する。
【００１６】
記憶部１０８は、不揮発性メモリ等の記録媒体からなり、制御部１０５及び電子透かし処理部１１６から出力されるデータを記録する。
操作キー部１１０は、ボタン、ジョグキー及び入力回路などからなり、画像の撮影、インターネットへの接続、移動端末１００の電源のＯＮ／ＯＦＦ、オン／オフフックなどの実行指示を受け付ける機能を有する。
【００１７】
操作キー部１１０は、電池の消費を抑えるためのモード（以下、「節約モード」という。）の設定入力を受け付ける。
上述のジョグキーは、同心円上に配置された２つの円盤状のボタンからなり、外側の大きな円形のボタン（以下、「４方向キー」という。）は、中心に穴があるドーナツ形状となっており、内側の円形のボタン（以下、「確定キー」という。）がその穴の中に配置されている。
【００１８】
この４方向キーは、上下、左右、の合計４方向に傾斜することにより、それぞれの方向に対応する方向信号を制御部１０５に通知する機能を有する。
また、確定キーが押下されることにより、確定信号を制御部１０５に通知する機能を有する。
テンキー部１０９は、電話番号及びＥメール等の文字列などのデータを入力するためのボタン及び入力回路などからなり、入力されたデータを制御部１０５に出力する。
【００１９】
このテンキー部１０９は、主に、無線通信を実行するための一般的な処理を実行する上で必要となるデータの入力を実施する機能部である。
第１受光部１０１は、ＣＣＤなどの受光素子からなり、電力が供給されると入射光をもとに画像を撮像し、撮像した画像をアナログの電気信号に変換した画像データを第１画像処理部１０３に出力する。
【００２０】
第２受光部１０２は、上述の第１受光部１０１と同様にＣＣＤなどの受光素子からなり、電力が供給されると入射光をもとに画像を撮像し、撮像した画像をアナログの電気信号に変換した画像データを第２画像処理部１０４に出力する。
第２受光部１０２は、第１受光部１０１と背中合わせに配置され、それぞれの入射方向が正反対方向となっている。
【００２１】
図１に示すように、第１受光部１０１及び第２受光部１０２は一体となっており、この一体となっている部分がユーザによって装置本体から引き出されることにより、装置本体から飛び出す構造となっている。
第１受光部１０１は、移動端末１００の背面を向いており、また、第２受光部１０２は、移動端末１００の正面を向いている。
【００２２】
第１画像処理部１０３及び第２画像処理部１０４は、一時的にデータを格納するためのメモリ、Ａ／Ｄ変換回路などを有し、受け取った画像データをアナログ信号からデジタル信号に変換し、移動端末１００内で使用可能なデータ形式に変換して制御部１０５に出力する機能を有する。
送受信部１１１は、アンテナに接続され、フィルタ、アンプ等を含む無線信号を送受信する無線回路であり、制御部１０５からの指示にしたがい、音声、画像及び文字等の通信データを無線で送信し、また、外部から到来する当該移動端末１００宛ての通信データを受信して、制御部１０５に出力する。
【００２３】
タイマ部１１２は、クロックなどからなり、制御部１０５からに指示にもとづいて、指定された値から１秒ごとに１ディクリメントして、この値が０以下となったとき、その旨を制御部１０５に通知する機能、即ち、タイマとしての機能を有する。
電力供給部１１３は、制御部１０５からの指示にもとづき、第１受光部１０１と第１画像処理部１０３とへの電力供給、第２受光部１０２と第２画像処理部１０４とへの電力供給、第１表示部１０６への電力供給及び第２表示部１０７への電力供給をそれぞれ実施及び停止する機能を有する。
【００２４】
音声入力部１１４は、圧電素子などからなる音声入力装置であり、入力された音声を制御部１０５に出力する。
音声出力部１１５は、圧電素子などからなり、制御部１０５から受け取った音声データにもとづいて音声を出力する。
第１表示部１０６及び第２表示部１０７は、有機ＥＬ（Electro Luminescence）ディスプレイパネルなどからなり、制御部１０５から受け取った画像データ及び文字データにもとづいて画像を画面上に表示する機能を有する。
【００２５】
なお、第１受光部１０１及び第２受光部１０２で撮像された画像は、第１表示部１０６及び第２表示部１０７においてほぼリアルタイムに表示される。
制御部１０５は、無線通信を実行するための一般的な処理及び画像を撮影及び合成などの画像処理を制御するＤＳＰ（Ｄｉｇｉｔａｌ  Ｓｉｇｎａｌ  Ｐｒｏｃｅｓｓｏｒ）などを有する。
【００２６】
制御部１０５は、着呼及び発呼に際し、送受信部１１１との間で音声データ、文字データ及び画像データなどの入出力を実施し、また、音声入力部１１４から音声データを取得し、テンキー部１０９から文字データを取得し、また、音声出力部１１５に音声データを出力するなどの無線通信を実行するための処理を実施する。
【００２７】
なお、本発明は、画像の撮影に特徴があり、上述のような無線通信を実行するための携帯電話における一般的な処理については、従来と同様であるため、一般的な処理については、詳細な説明を省略する。
制御部１０５は、以下に示すように、画像を撮影するための処理を実施する。即ち、操作キー部１１０から第１受光部１０１及び第２受光部１０２を起動（以下、「カメラ起動」という。）させる指示を受け取ると、制御部１０５は、電力供給部１１３に第１受光部１０１と第１画像処理部１０３と第２受光部１０２と第２画像処理部１０４とへの電力供給を実施するように指示する。
【００２８】
制御部１０５は、さらに、第１表示部１０６及び第２表示部１０７への電力供給が停止しているか否かを判断し、電力供給が停止している表示部がある場合、その表示部の電力供給を実施するよう、電力供給部１１３に指示する。
以上の処理を実施すると、制御部１０５は、第１画像処理部１０３から受け取った画像データを第１表示部１０６に出力し、また、第２画像処理部１０４から受け取った画像データを第２表示部１０７に出力すると共に、カメラが起動した直後のデフォルトの状態で第２表示部１０７に表示中の画像を囲み、この画像を処理対象として指定するための枠（以下、「指定枠」という。）を表示させる機能を有する。
【００２９】
このように第１表示部１０６及び第２画像処理部１０４への画像データの出力を開始したとき、制御部１０５は、タイマ部１１２に初期値ｔ（秒）を通知すると共に、カウントダウンを実施するように指示する。
また、制御部１０５は、操作キー部１１０のジョグキーの４方向キーから受け取る方向信号にもとづいて、前記指定枠の表示位置の切替え、即ち、処理対象の指定の切替えを実施すると共に、タイマ部１１２に初期値ｔ（秒）を通知してカウントダウンの実施を指示する。
【００３０】
制御部１０５は、前記指定枠を第１表示部１０６の画面の周囲のみ、第２表示部１０７の画面の周囲のみ、又は、第１表示部１０６と第２表示部１０７との両画面に表示させる。
図３は、カメラ起動時における、ジョグキーの操作と上述の指定の切替えとの関係を説明する図である。
【００３１】
図３（ａ）は、起動直後及び４方向キーの右側が押下された場合の指定枠の表示状態を示す図である。
この場合、制御部１０５は、第２表示部１０７において表示中の画像を囲む指定枠を第２表示部１０７に表示させる。
図３（ｂ）は、４方向キーの左側が押下された場合の指定枠の表示状態を示す図である。
【００３２】
この場合、制御部１０５は、第１表示部１０６において表示中の画像を囲む指定枠を第１表示部１０６に表示させる。
図３（ｃ）は、４方向キーの下側が押下された場合の指定枠の表示状態を示す図である。
この場合、制御部１０５は、第１表示部１０６及び第２表示部１０７において表示中の画像それぞれを囲む指定枠を第１表示部１０６及び第２表示部１０７に表示させる。
【００３３】
そして、制御部１０５は、操作キー部１１０の確定キーから確定信号を受け取ったとき、その時点で指定されている画像を記憶部１０８に格納する。
つまり、指定枠により囲まれている画像が撮影される。
なお、図３（ｃ）に示すように、第１表示部１０６及び第２表示部１０７において表示中の画像それぞれに指定枠がある場合にのみ、制御部１０５は、第２表示部１０７に表示されている画像を第１表示部１０６に表示されている画像に電子透かしにより埋め込むように電子透かし処理部１１６に指示し、この埋め込みがなされた画像を記憶部１０８に格納する。
【００３４】
このように、ユーザは、画像の選択と撮影とを片手のみで簡単に実施することができる。
また、制御部１０５は、第１表示部１０６及び第２表示部１０７それぞれにおいて、指定枠が表示されていない時間が５分を越えた場合には、指定枠が表示されていない表示部に表示中の画像を撮像している受光部及び受光部に対応する画像処理部の電力供給を停止するように電力供給部１１３に指示する。
【００３５】
例えば、図４（ａ）に示すように、４方向キーの左側が押下され、第２表示部１０７に表示されている画像に枠が表示されたとする。
このとき、制御部１０５は、節約モードの設定がなされおり、このときから５分が経過した場合、制御部１０５は、図４（ｂ）に示すように、指定枠が表示されていない表示部の電力供給を停止するように電力供給部１１３に指示する。
【００３６】
一方、節約モードの設定がなされておらず、５分が経過した場合、制御部１０５は、図４（ｃ）に示すように、この表示部にインターネット接続メニューなどの受光部で撮像した画像と無関係な画像を表示させる。
電子透かし処理部１１６は、制御部１０５から画像埋め込み指示及び２つの画像を受け取り、この画像埋め込み指示にもとづいて、代入法、選択法又は構成法などの手法を用いた電子透かし技術により、１つの画像をもう一方の画像に埋め込む処理を実施し、埋め込み後の画像を記憶部１０８に格納する機能を有する。＜動作＞
図５は、カメラ起動時の移動端末１００における処理を示すフローチャートである。
【００３７】
操作キー部１１０においてユーザからのカメラ起動の指示を受け付け（ステップＳ５０１）、操作キー部１１０からこの指示を受け取ったとき、制御部１０５は、電力供給部１１３に第１受光部１０１と第１画像処理部１０３とへの電力供給及び第２受光部１０２と第２画像処理部１０４とへの電力供給の実施を指示する（ステップＳ５０２）。
【００３８】
続いて、制御部１０５は、第１表示部１０６への電力供給及び第２表示部１０７への電力供給の実施を電力供給部１１３に指示し、第１表示部１０６に第１受光部１０１において撮像した画像を表示させ（ステップＳ５０３）、また、第２表示部１０７に第２受光部１０２において撮像した画像を表示させる（ステップＳ５０４）。
【００３９】
このとき、制御部１０５は、カメラが起動した直後のデフォルトの状態において、第２表示部１０７に指定枠を合わせて表示させる。
次に、制御部１０５は、４方向キーにおいて指定枠の切替えが受け付けられたか否かを判断する（ステップＳ５０５）。
指定枠の切替えが受け付けられた場合、新たに指定された表示部に指定枠を表示すると共に、指定されなかった表示部の指定枠の表示を抹消し（ステップＳ５０６）、確定キー、即ち、撮影を指示するボタンが押下されたか否かを判断する（ステップＳ５０７）。
【００４０】
一方、指定枠の切替えが受け付けられなかった場合、制御部１０５は、確定キーが押下されたか否かを判断する上述のステップＳ５０７を実行する。
確定キーが押下された場合、制御部１０５は、指定された画像のデータを記憶部１０８に格納、即ち、撮影し（ステップＳ５０８）、指定枠が表示されないまま５分間が経過した表示部が存在するか否かを判断する（ステップＳ５０９）。
【００４１】
確定キーが押下されなかった場合、制御部１０５は、指定枠が表示されないまま５分間が過ぎた表示部が存在するか否かを判断する上述のステップＳ５０９を実行する。
指定枠が表示されないまま５分間が過ぎた表示部が存在する場合、制御部１０５は、節約モードとなっているか否かを判断し（ステップＳ５１０）、節約モードになっている場合、この表示部に表示中の画像を撮像している受光部とこの受光部に対応する画像処理部とへの電力供給の停止（ステップＳ５１１）及びこの表示部１０６への電力供給の停止（ステップＳ５１２）を電力供給部１１３に指示し、操作キー部１１０がカメラ起動の指示を受け付けたか否かを判断し（ステップＳ５１３）、続いて、操作キー部１１０内のカメラの起動を終了させる指示を受け付けるボタンが押下されたか否かを判断し（ステップＳ５１４）、このボタンが押下された場合、処理を終了する。
【００４２】
一方、カメラの起動を終了させる指示を受け付けるボタンが押下されていない場合、制御部１０５は、４方向キーにおいて指定枠の切替えが受け付けられたか否かを判断する上述のステップＳ５０５に戻る。
一方、節約モードとなっているか否かを判断する上述のステップＳ５１０において、節約モードとなっていない場合、制御部１０５は、指定枠が表示されないまま５分間が過ぎた表示部に表示中の画像を撮像している受光部とこの受光部に対応する画像処理部とへの電力供給を停止するように電力供給部１１３に指示し（ステップＳ５１６）、この表示部にこの画像の代わり、インターネット接続メニューなどの一般画面を表示させ（ステップＳ５１７）、操作キー部１１０がカメラ起動の指示を受け付けたか否かを判断する上述のステップＳ５１３を実行する。
【００４３】
また、図６は、指定された画像のデータを記憶部１０８に格納するステップＳ５０８の処理の詳細を示すフローチャートである。
制御部１０５は、第１表示部１０６及び第２表示部１０７の両表示部において表示中の画像を囲む指定枠を同時に表示しているか否かを判断し（ステップＳ６０１）、両表示部において指定枠が表示されている場合、第２表示部１０７に表示されている画像を第１表示部１０６に表示されている画像に電子透かしにより埋め込んで１つの画像とし（ステップＳ６０２）、画像のデータを記憶部１０８に格納し（ステップＳ６０３）、指定枠が表示されないまま５分間が経過した表示部が存在するか否かを判断するステップＳ５０９を実行する。
【００４４】
一方、両表示部において指定枠が同時に表示されていない場合、制御部１０５は、指定枠により指定された画像のデータを記憶部１０８に格納し（ステップＳ６０３）、指定枠が表示されないまま５分間が経過した表示部が存在するか否かを判断するステップＳ５０９を実行する。
このように、両表示部において指定枠が表示されている場合において、第２表示部１０７に表示されている画像を第１表示部１０６に表示されている画像に電子透かしにより埋め込んで１つの画像とするのは、例えば、図７に示すように、撮影した画像が特定の人にしか公開できない社外秘の画像であった場合、第三者がこの画像をコピーするなどして不正に取得して問題となったとき、複製された画像に埋め込まれている撮影者の画像を根拠として、この画像の著作権などを主張するためである。
【００４５】
２つの画像を同時に撮影する場合、第１受光部１０１により撮像した目的とする被写体と第２受光部１０２により撮像した撮影者の顔の画像とを同時に記録し、撮影者の顔の画像を目的とする被写体の画像に埋め込むことにより、撮影者本人が撮影した証になり、撮影者の管理モラルの向上が期待できる。
以上のように、本実施形態によれば、移動端末１００は、入射方向が互いに正反対の関係にある第１受光部１０１及び第２受光部１０２により撮像された両画像を第１表示部１０６及び第２表示部１０７においてリアルタイムに表示しており、ユーザは、同時に表示されているこれら前方及び後方の風景の画像を片手で簡単に選択して撮影することができるため、被写体が不意に現れたとしても、目的とする被写体の撮影の機会を逃し難い。
【００４６】
また、目的とする被写体と同時に撮影した撮影者の顔の画像をこの被写体の画像に埋め込むことができるので、撮影者本人が撮影した証になり、撮影者の管理モラルの向上が期待でき、さらに、画像の著作権などを主張する際の有効な手段となる。
なお、本実施の形態では、独立した２つの表示部がある移動端末を例に挙げ説明を行ったが、従来の１つの表示部と第１受光部及び第２受光部の２つの受光部を有する移動端末であっても、図８に示すように、この表示部の画面を第１エリアと第２エリアとに区分し、第１エリアに第１受光部により撮像された画像を表示し、第２エリアに第２受光部により撮像された画像を表示してもよい。
【００４７】
また、図８の第１エリアと第２エリアとの位置関係及びそれぞれのエリアの大きさは、例示であって、どのような位置及び面積比であっても構わない。
【００４８】
【発明の効果】
以上の説明から明らかなように、本発明に係る移動端末は、記録媒体と、互いに異なる方向から入射する光を受光する第１受光部及び第２受光部と、前記第１受光部により結像された第１画像を取得する第１画像取得手段と、前記第２受光部により結像された第２画像を取得する第２画像取得手段と、取得された前記第１画像と第２画像とを１の方向から同時に視認可能なようにリアルタイムに表示する表示手段と、４つの操作領域が割当てられた４方向キーと、前記４つの操作領域のうち、一の操作領域を操作すると前記第１画像を選択し、別の操作領域を操作すると前記第２画像を選択するものであって、前記一の操作領域及び前記別の操作領域の相対的位置関係と、前記第１画像の表示位置及び前記第２画像の表示位置の相対的位置関係とを略同一にする選択手段と、前記選択がなされた画像を前記記録媒体に格納する格納手段とを備えることを特徴とし、また、本発明に係る画像記録方法は、４つの操作領域が割当てられた４方向キーと記録媒体と互いに異なる方向から入射する光を受光する第１受光部及び第２受光部とを備える移動端末において、画像を記録する画像記録方法であって、前記第１受光部により結像された第１画像を取得する第１画像取得ステップと、前記第２受光部により結像された第２画像を取得する第２画像取得ステップと、取得された前記第１画像と第２画像とを１の方向から同時に視認可能なようにリアルタイムに表示する表示ステップと、前記４つの操作領域のうち、一の操作領域を操作すると前記第１画像を選択し、別の操作領域を操作すると前記第２画像を選択するものであって、前記一の操作領域及び前記別の操作領域の相対的位置関係と、前記第１画像の表示位置及び前記第２画像の表示位置の相対的位置関係とを略同一にする選択ステップと、前記選択がなされた画像を前記記録媒体に格納する格納ステップとを含むことを特徴とする。
【００４９】
これにより、第１画像取得手段及び第２画像生成手段により取得された画像がリアルタイムに表示されるため、これらの画像を同時に確認することができる。つまり、操作者が記録を望む被写体の方向に応じて画像表示を切替える必要がないため、より迅速に記録が実施される。また、前記選択手段は、さらに、前記方向キーに割り当てられた４つの操作領域にうち、互いの相対的位置が、前記第１画像の表示位置及び前記第２画像の表示位置の相対的位置関係と略同一とならない第３の操作領域及び第４操作領域において、前記第３の操作領域が操作された場合、前記第１画像及び前記第２画像を同時に選択するとしてもよい。
【００５０】
これにより、第１画像及び第２画像が同時に記録され得る。
また、  第１受光部に入射する光の方向と第２受光部に入射する光の方向とがほぼ正反対であるとしてもよい。
これにより正反対の方向にある被写体の画像が同時に記録される。
また、前記格納手段は、第１画像及び第２画像の両画像について前記選択がなされた場合、当該第１画像中に当該第２画像を電子透かしにより埋め込んで記録するとしてもよい。
【００５１】
これにより、第１画像中に当該第２画像を電子透かしにより埋め込まれて記憶される。
即ち、目的とする被写体と同時に撮影した撮影者の顔の画像をこの被写体の画像に埋め込むとすれば、撮影者本人が撮影した証になり、撮影者の管理モラルの向上が期待でき、さらに、画像の著作権などを主張する際の有効な手段となる。
【００５２】
また、前記表示手段は、第１画像のみ、第２画像のみ及び第１画像と第２画像の両画像のいずれが選択されているかを操作者に認識させるための認識画像を当該選択がなされている画像に付して表示するとしてもよい。
これにより、前記選択がなされている画像がどの画像であるのかがより容易に操作者に認識される。
【００５３】
また、前記認識画像は、前記選択がなされた画像の周囲を囲む枠であるとしてもよい。
これにより、前記枠の有無を確認することにより、選択がなされているか否かが認識される。
また、前記移動端末は、さらに、前記表示手段において、所定の時間以上前記認識画像が付されないまま第１画像が表示されている場合、第１画像取得手段への電力供給を停止し、所定の時間以上前記認識画像が付されないまま第２画像が表示されている場合、第２画像生成手段への電力供給を停止する節電手段を備え、前記第１画像取得手段及び前記第２画像生成手段は、電力供給がなされている場合に限り、それぞれ第１画像及び第２画像を生成し、前記表示手段は、第１画像取得手段と第２画像生成手段とにおいて、生成される画像があるときに限りその画像を表示するとしてもよい。
【００５４】
これにより、無駄な電力消費が軽減される。
また、前記表示手段は、画像を表示するための領域であり、決められた位置に存在する第１表示エリア及び第２表示エリアを有し、第１画像を第１表示エリアに表示し、第２画像を第２表示エリアに表示するとしてもよい。
これにより、表示されている画像の位置により、その画像が第１画像であるか第２画像であるかが判断され得る。
【００５５】
また、前記第２表示エリアは、第１表示エリアに含まれているとしてもよい。
これにより、第２画像は、第１画像内に第１画像よりも小さく表示される。
つまり、第２画像を補助的に表示させる場合などには都合がよい。
さらに、通常の１つの表示部のみを有する移動端末であっても、第１画像及び第２画像とを同時に表示される。
【００５６】
また、前記第１表示エリア及び第２表示エリアは、位置的に重ならない場所に存在するとしてもよい。
これにより、第１画像及び第２画像がそれぞれ異なる場所に表示され、より容易に表示されている画像が第１画像であるか第２画像であるかが判別され得る。また、前記第１表示エリア及び第２表示エリアは、それぞれ独立した表示部からなり、前記節電手段は、前記画像が表示されていない表示部への電力供給を停止するとしてもよい。
【００５７】
これにより、さらに、無駄な電力消費が軽減される。
【図面の簡単な説明】
【図１】本発明の実施の形態における移動端末の外観図である。
【図２】本発明の実施の形態における移動端末の機能ブロック図である。
【図３】（ａ）は、起動直後及び４方向キーの右側が押下された場合の指定枠の表示状態を示す図である。
（ｂ）は、４方向キーの左側が押下された場合の指定枠の表示状態を示す図である。
（ｃ）は、４方向キーの下側が押下された場合の指定枠の表示状態を示す図である。
【図４】（ａ）は、４方向キーの左側が押下され、第２表示部に表示されている画像に枠が表示がされた直後の図である。
（ｂ）は、５分間指定枠が表示されなかった表示部を非表示とする場合の例を示す図である。
（ｃ）は、５分間指定枠が表示されなかった表示部にインターネット接続メニューなどの受光部で撮像した画像と無関係な画像を表示させる場合の例を示す図である。
【図５】カメラ起動時の移動端末における処理を示すフローチャートである。
【図６】指定された画像のデータを記憶部に格納するステップＳ５０８の処理の詳細を示すフローチャートである。
【図７】第１表示部及び第２表示部の両表示部において指定枠が表示されている場合において、第２表示部に表示されている画像を第１表示部に表示されている画像に電子透かしにより埋め込んで１つの画像とする場合の一例を示す図である。
【図８】表示部の画面を第１エリアと第２エリアとに区分し、第１エリアに第１受光部により撮像された画像を表示し、第２エリアに第２受光部により撮像された画像を表示した例を示す図である。
【図９】従来の移動端末９００の外形図である。
【図１０】従来の移動端末１０００の外形図である。
【図１１】自転車に乗りつつ従来の移動端末９００を用いて撮影を行う場合の状況を示す図である。
【符号の説明】
１００    移動端末
１０１    受光部
１０２    受光部
１０３    第１画像処理部
１０４    第２画像処理部
１０５    制御部
１０６    第１表示部
１０７    第２表示部
１０８    記憶部
１０９    テンキー部
１１０    操作キー部
１１１    送受信部
１１２    タイマ部
１１３    電力供給部
１１４    音声入力部
１１５    音声出力部
１１６    電子透かし処理部
【図１】
0003913572.tif 000002
【図２】
0003913572.tif 000003
【図３】
0003913572.tif 000004
【図４】
0003913572.tif 000005
【図５】
0003913572.tif 000006
【図６】
0003913572.tif 000007
【図７】
0003913572.tif 000008
【図８】
0003913572.tif 000009
【図９】
0003913572.tif 000010
【図１０】
0003913572.tif 000011
【図１１】
0003913572.tif 000012